(57)【特許請求の範囲】
【請求項１】
高圧配電線に流れる負荷電流が過電流であるときに、前記高圧配電線の投入・開放を行う開閉部に対して開放を指示する制御装置へ、過電流を検出したときに過電流検出信号を出力する負荷開閉器において、
前記高圧配電線の相電圧に応じた磁気と負荷電流に応じた磁気とが磁気結合によりベクトル合成される合成出力用巻線が設けられた信号合成回路と、
前記合成出力用巻線に流れる電流に基づいて前記制御装置への前記過電流検出信号を出力する過電流検出回路とを備え、
前記合成出力用巻線は、相電圧と負荷電流とのベクトル合成において、位相差が−９０度から＋９０度までの範囲であるときの順方向潮流に対して、それ以外の範囲の逆方向潮流であれば、負荷電流が過電流であっても、過電流検出の既定以下を示す電流が流れることを特徴とする負荷開閉器。
【請求項２】
前記信号合成回路は、
前記高圧配電線の相電圧に応じた電流が流れることで磁気が発生する第１の巻線と、
前記高圧配電線の負荷電流に応じた電流が流れることで磁気が発生する第２の巻線と、
前記第１の巻線及び前記第２の巻線と共に、コア部に巻き回された前記合成出力用巻線である第３の巻線とを備えたものである請求項１記載の負荷開閉器。
【請求項３】
前記信号合成回路は、
前記高圧配電線の相電圧に応じた電流が流れることで磁気を発生する第１の巻線と、
前記高圧配電線の負荷電流に応じた磁気による磁束の磁路となるコア部と、
前記第１の巻線と共に、前記コア部に巻き回された前記合成出力用巻線である第２の巻線とを備えたものである請求項１記載の負荷開閉器。
【発明の詳細な説明】
【技術分野】
【０００１】
本発明は、電力系統との責任分界点に位置する負荷開閉器において、制御装置の計測・演算機能に頼ることなく、負荷開閉器に内蔵された相電圧(基準電圧)検出器及び過電流検出器の信号合成結果により、負荷開閉器単独にて潮流方向を判定し過電流方向を付加した過電流レベル検出機能付の負荷開閉器に関するものである。
【背景技術】
【０００２】
従来、負荷開閉器を制御する制御装置は過電流を検出する過電流検出手段を備えている。この過電流検出手段を備えた制御装置は、ＪＩＳ−Ｃ４６０７規格等で定められた手順により図９が示すように動作を行う。この図９は従来の負荷開閉器を制御する制御装置の動作フローチャートである。
【０００３】
需要家側で設定値を超過する過電流（又は短絡電流）が発生すると（ステップ１０１）、負荷開閉器をロックして過電流中の開放を防止する（ステップ１０２）。
変電所の保護継電器が動作して異常発生区間を選択遮断し、当該配電線を切離すことにより停電が発生し（ステップ１０３）、停電により過電流が消滅した後に事故原因のある需要家の負荷開閉器は開放される（ステップ１０４）。所定時間経過後、前記配電線が再閉路される（ステップ１０５）。事故原因のある需要家以外の需要家へ電力が供給され、事故原因のある需要家の引込配電線路は前記負荷開閉器により開放されたままなので、需要家構内は停電が継続される（ステップ１０６）。その後事故原因を取り除いて、人手により負荷開閉器を投入して復旧する（ステップ１０７）。
【０００４】
図９に示される手順は、需要家が電力会社から電力の供給を受けるのみということが前提で規定されている。そのため、自己の発電機等の分散型電源設備を備え、商用電源の電力供給と併用して使用する需要家にあっては、構外の事故発生時に、分散型電源設備から配電線側へ過電流の逆方向潮流が発生し、この過電流により需要家の設備で事故が発生していない健全な配電線路であるにも拘らず負荷開閉器を開放するという課題を有していた。
【０００５】
即ち、他の需要家又は電力配電線路中の事故が原因で変電所の遮断器が遮断し、この遮断器が再投入されても、事故発生していない需要家の負荷開閉器が開放状態にある。そのため、前記遮断器が再投入され、再び配電線路に電源が供給されても、負荷開閉器が開放状態では、引き続き需要家構内では停電状態が継続する。
【０００６】
前記課題を解消するために、本出願人により、特許文献１にて負荷開閉器駆動制御装置が提案された。この特許文献１に記載の制御装置及びその方法は、電圧検出手段により検出された相電圧及び電流検出手段により検出された負荷電流により位相差を演算する位相差演算手段と、位相差に基づいて配電線の潮流方向を決定する潮流方向判定手段と、負荷電流が過電流と判断され且つ潮流方向が逆方向潮流と判断された場合に高圧配電線に設けられる負荷開閉器の開放を阻止する駆動制御手段とを備えたものである。この特許文献１では、潮流方向を制御装置の計測・演算機能にて算出(ベクトル演算)し、決定することで、構外事故が原因の過電流発生による負荷開閉器の不必要な開放を防止することができるものである。
【先行技術文献】
【特許文献】
【０００７】
【特許文献１】特許第３８１２４２３号公報
【発明の概要】
【発明が解決しようとする課題】
【０００８】
しかし、特許文献１に記載の負荷開閉器駆動制御装置では、電圧検出手段及び電流検出手段が負荷開閉器に設けられているものの、位相差演算手段、潮流方向判定手段、駆動制御手段などが制御装置に設けられているため、制御装置の機能構造が複雑である。制御装置が複雑化すると、調整・管理箇所の増加ならびに故障率の上昇等に対する信頼性確保に考慮が必要となるなどの問題が生じる。
制御装置においては、過電流や地絡などを検出して負荷開閉器を開放するのに、高度な波形記録・計測精度等の高機能が要求されているわけではなく、更に、制御装置の計測・演算機能ならびに処理能力が、制御装置全体の性能に大きく左右することから、制御装置は簡単な構成とするのが望ましい。
【０００９】
そこで本発明は、従来の制御装置内に設けられていた機能を簡単な構成で実現して内蔵することで、高い信頼性を図ることができる負荷開閉器を提供することを目的とする。
【課題を解決するための手段】
【００１０】
本発明の負荷開閉器は、高圧配電線に流れる負荷電流が過電流であるときに、前記高圧配電線の投入・開放を行う開閉部に対して開放を指示する制御装置へ、過電流を検出したときに過電流検出信号を出力する負荷開閉器において、前記高圧配電線の相電圧に応じた磁気と負荷電流に応じた磁気とが磁気結合によりベクトル合成される合成出力用巻線が設けられた信号合成回路と、前記合成出力用巻線に流れる電流に基づいて前記制御装置への前記過電流検出信号を出力する過電流検出回路とを備え、前記合成出力用巻線は、相電圧と負荷電流とのベクトル合成において、位相差が−９０度から＋９０度までの範囲であるときの順方向潮流に対して、それ以外の範囲の逆方向潮流であれば、負荷電流が過電流であっても、過電流検出の既定以下を示す電流が流れることを特徴とする。
【００１１】
本発明の負荷開閉器は、相電圧と負荷電流のベクトル合成を磁気結合により行い、その結果を合成出力用巻線に流れる電流として検出することができる。このとき、合成出力用巻線には、相電圧と負荷電流とのベクトル合成において、位相差が−９０度から＋９０度までの範囲であるときの順方向潮流に対して、それ以外の範囲の逆方向潮流であれば、負荷電流が過電流であっても、過電流検出の既定以下を示す電流が流れるため、過電流検出回路による制御装置への過電流検出信号の出力が阻止される。
従って、制御装置内で演算処理などを行うことなく、負荷開閉器内で順方向潮流または逆方向潮流を判定することができ、負荷開閉器の不必要な開放を防止することができる。また、負荷電流の乱れ等により位相ずれが生じたとしても、潮流方向をより正確に判別できることとなり、電力再供給が確実に行われる。
【００１３】
前記信号合成回路は、前記高圧配電線の相電圧に応じた電流が流れることで磁気が発生する第１の巻線と、前記高圧配電線の負荷電流に応じた電流が流れることで磁気が発生する第２の巻線と、前記第１の巻線及び前記第２の巻線と共に、コア部に巻き回された前記合成出力用巻線である第３の巻線とを備えたものとすることができる。このように信号合成回路を構成することで、ハイブリッドトランスのような３巻変圧器が使用できる。
【００１４】
前記信号合成回路は、前記高圧配電線の相電圧に応じた電流が流れることで磁気を発生する第１の巻線と、前記高圧配電線の負荷電流に応じた磁気による磁束の磁路となるコア部と、前記第１の巻線と共に、前記コア部に巻き回された前記合成出力用巻線である第２の巻線とを備えたものとすることができる。このように信号合成回路を構成することで、コア部に巻線を２個付けた回路とすることができるので、シンプルな回路構成とすることができる。
【発明の効果】
【００１５】
本発明の負荷開閉器によれば、制御装置内で演算処理などを行うことなく、負荷開閉器内で順方向潮流または逆方向潮流を判定することができるので、従来の制御装置内に設けられていた機能を簡単な構成で実現して内蔵することで、高い信頼性を図ることができる。
【図面の簡単な説明】
【００１６】
【図１】自家発電装置を有する需要家を説明するための図である。
【図２】本発明の実施の形態に係る負荷開閉器の構成を示す図である。
【図３】順方向潮流と逆方向潮流とを説明するための波形図である。
【図４】図１に示す負荷開閉器の信号合成回路の一例を示す図である。
【図５】図４に示す信号合成回路の過電流検出回路の一例を示す図である。
【図６】図１に示す負荷開閉器の信号合成回路の一例を示す図である。
【図７】図６に示す負荷開閉器の信号合成回路の一例を示す図である。
【図８】図２に示す負荷開閉器において、引込配電線から計器用変成器を介して抵抗Ｒ０に、基準となる相電圧を供給する例を説明するための図である。
【図９】従来の過電流(短絡電流)発生時の負荷開閉器を制御する制御装置の動作フローチャートである。
【発明を実施するための形態】
【００１７】
本発明の実施の形態に係る負荷開閉器について、図面に基づいて説明する。
まず、負荷開閉器が設置される環境について、図１に基づいて説明する。
図１に示すように、需要家の構内において自家発電装置２０６が設置されている。構外の引込分岐点２０１の高圧架空配電線２００から構内の第１柱の責任分界点２０２（保安上の責任分界点）を境界として高圧配電線である引込配電線２１０により構内へ配電される。引込配電線２１０には、負荷開閉器（区分開閉器）１００、ＰＣＴ（Potential Current Transformer）２０４及び主遮断装置２０５が設けられている。主遮断装置２０５に負荷２０７が接続される。
【００１８】
負荷開閉器１００は、制御装置３００と共に、引込配電線２１０中に配設されている。負荷開閉器１００は、図２に示すように、零相変流器（ＺＣＴ）１０と零相電圧検出装置（ＺＰＤ）２０と、信号検出部３０と、開閉部４０と、引き外し部５０を備えている。
【００１９】
信号検出部３０は、引込配電線２１０に通電される基準となる相電圧を検出する電圧検出部３１と、引込配電線２１０に流れる負荷電流を検出する電流検出部３２と、電圧検出部３１により検出された相電圧に応じた磁気と電流検出部３２により検出された負荷電流に応じた磁気とを磁気結合してベクトル合成する信号合成回路３３と、過電流検出回路３４とを備えている。
【００２０】
電圧検出部３１は、Ｒ・Ｔ各相の引込配電線２１０Ｒ、２１０Ｔに接続された抵抗とすることができる。電流検出部３２は、Ｒ・Ｔ各相の引込配電線２１０Ｒ、２１０Ｔ上に配設されるＯＣＲ（過電流ロックリレー）とすることができる。信号合成回路３３には、負荷電流が過電流であっても逆方向潮流であれば過電流検出の既定以下を示す電流が流れる合成出力用巻線（図２では図示せず）が設けられている。
【００２１】
開閉部４０は、引き外し部５０の引き外し動作により引込配電線２１０の開放を行ったり、過電流発生事故状態の解除により引込配電線２１０の人手による投入を行ったりするものである。引き外し部５０は、制御装置３００からの指示により開閉部４０を引き外すことで、引込配電線２１０を開放するものである。
【００２２】
次に、制御装置３００について説明する。制御装置３００は、地絡検出部３０１と、地絡判定部３０２と、過電流検出信号受信部３０３と、過電流蓄勢制御部３０４と、開閉器制御部３０５とを備えている。
【００２３】
地絡検出部３０１は、零相変流器１０と零相電圧検出装置２０とからの信号を受け、地絡判定部３０２へ出力する。地絡判定部３０２では、地絡検出部３０１からの信号に基づいて、地絡事故が発生しているか否かを判定して、過電流蓄勢制御部３０４へ出力する。
過電流検出信号受信部３０３は、負荷開閉器１００からの過電流を検出した旨の信号（過電流検出信号）を受け、過電流蓄勢制御部３０４へ出力する。
過電流蓄勢制御部３０４は、地絡判定部３０２からの地絡事故を検出した旨の信号（地絡検出信号）、または過電流検出信号受信部３０３からの過電流を検出した旨の信号を受け、開閉器制御部３０５へ開閉部４０への放勢を指示する旨の信号を出力する。開閉器制御部３０５は、開閉部４０の引き外し部５０へ放勢を指示する信号（電圧）を出力する。
【００２４】
以上のように構成された本発明の実施の形態に係る負荷開閉器の動作について、図面に基づいて説明する。
図１に示すように、通常の受電時には構外の引込分岐点２０１の高圧架空配電線２００から構内の第１柱の責任分界点２０２（保安上の責任分界点）、負荷開閉器（区分開閉器）１００、ＰＣＴ２０４及び主遮断装置２０５を介して負荷２０７へ電力が順方向潮流として供給される。
【００２５】
まず、Ｒ相の引込配電線２１０Ｒの相電圧を電圧検出部３１である抵抗により検出することで、相電圧に応じた信号（相電圧信号）の電流が信号合成回路３３へ流れる。また、Ｒ相の引込配電線２１０Ｒに流れる電流を電流検出部３２であるＯＣＲにより検出することで、この電流に応じた信号（負荷電流信号）の電流が信号合成回路３３へ流れる。信号合成回路３３では、それぞれの信号の電流が流れることで、合成出力用巻線に、引込配電線２１０の相電圧に応じた磁気と負荷電流に応じた磁気とが磁気結合によりベクトル合成された電流が流れる。このとき、合成出力用巻線には、負荷電流が過電流であっても逆方向潮流であれば過電流検出の既定以下を示す電流が流れるように、電圧検出部３１と電流検出部３２とが調整されている。
【００２６】
図３に示す波形図に示すように、相電圧を示す信号と負荷電流を示す信号とが同位相（順方向潮流）であればベクトル合成された合成信号は、相電圧を示す信号と負荷電流を示す信号とが加算されるため最大となり、位相が逆位相（逆方向潮流）であれば相電圧を示す信号から負荷電流を示す信号を減算することになるためベクトル合成された合成信号は最小となることがわかる。つまり、合成信号の度合いにより順方向潮流か逆方向潮流かを判定することができる。
【００２７】
従って、相電圧を示す信号と負荷電流を示す信号とに応じた信号をベクトル合成することで、負荷電流が過電流であっても、逆方向潮流であれば過電流検出の既定以下を示す電流が合成出力用巻線に流れる
ここで、信号合成回路３３は、相電圧と負荷電流とのベクトル合成において、位相差が−９０度から＋９０度までの範囲であるときに順方向潮流、それ以外の範囲であるときに逆方向潮流とするように設定されている。相電圧に対して負荷電流の位相が−９０度から９０度の範囲であるか否かにより配電線の潮流方向を決定して開閉部の開放動作を制限するようにしているので、負荷電流の乱れ等により位相ずれが生じたとしても、潮流方向をより正確に判別できることとなり、電力再供給が確実に行われる。
【００２８】
例えば、高圧架空配電線２００から需要家側が給電を受けている場合において構内過電流事故（図１に示す）が発生したとすると、信号合成回路３３の合成出力用巻線に、過電流検出を検出した旨の順方向潮流を示す電流が流れるため、過電流検出回路３４から制御装置３００へ過電流検出信号が出力される。
【００２９】
制御装置３００では、過電流検出信号受信部３０３が過電流検出信号を受けると、過電流蓄勢制御部３０４が地絡検出信号を受けたときと同様に、開閉器制御部３０５へ開閉部４０への放勢を指示する旨の信号を出力することで、準備を行う。その後、配電線切離しにより停電することによって過電流が消滅した後に、開閉器制御部３０５が負荷開閉器１００へ放勢を指示する信号（電圧）を出力する。
【００３０】
制御装置３００からの放勢を指示する信号（電圧）を引き外し部５０が受けると、前記ＪＩＳ−Ｃ４６０７規格等に基づいて可動接点４１Ｒ、４１Ｓ、４１Ｔを駆動させて開放状態とする。
【００３１】
また、例えば、図１に示す他の需要家で事故が発生し、変電所の遮断器が遮断して高圧架空配電線（電力会社配電線）２００が停電した場合には、自家発電装置２０６を備えた需要家から、自家発電装置２０６の電力が高圧架空配電線２００側へ流出する。このときは、信号合成回路３３の合成出力用巻線に過電流検出の既定以下を示す電流が流れることにより、過電流検出回路３４から制御装置３００へは過電流検出信号の出力が阻止される。従って、負荷開閉器１００の投入状態は保持される。
【００３２】
次に、信号検出部３０の構成について、図４から図７に基づいて詳細に説明する。
信号検出部３０は、例えば、図４に示すような構成とすることができる。
図４に示す信号検出部３０は、電圧検出部３１を抵抗Ｒ０とし、電流検出部３２を変流器（ＣＴ）とし、信号合成回路３３をコア部に巻線Ｌ１１〜Ｌ１３が巻いた３巻変圧器であるハイブリッドトランスＴＲとしている。
抵抗Ｒ０は、一端が引込配電線２１０に接続され、他端がハイブリッドトランスＴＲの巻線Ｌ１１の一端に接続されている。ハイブリッドトランスＴＲの巻線Ｌ１１の他端はグランド（大地接地）７０に接続されている。電流検出部３２である変流器は、ハイブリッドトランスＴＲの巻線Ｌ１２に接続されている。過電流検出回路３４は、合成出力用巻線となるハイブリッドトランスＴＲの巻線Ｌ１３に接続されている。
【００３３】
過電流検出回路３４は、図５に示すような回路構成とすることができる。
例えば、図５に示す過電流検出回路３４は、ハイブリッドトランスＴＲからの電流信号を電圧信号に変換する抵抗Ｒ１と、交流を直流へ変換する交流・直流変換器(ＡＣ/ＤＣ  ＣＯＮ.Ｖ)３４ａと、交流・直流変換器３４ａの出力電圧信号と閾値電圧（Ｖｒｅｆ）とを比較する比較器（ＣＭＰ）３４ｂと、比較器３４ｂからの信号に基づいて過電流検出信号となる短絡信号を出力するトランジスタＱ１とを備えている。
【００３４】
このように構成された信号検出部３０では、ハイブリッドトランスＴＲの巻線Ｌ１１に、相電圧に応じた電流が流れ、巻線Ｌ１２に負荷電流に応じた電流が流れることで、それぞれの巻線Ｌ１１，Ｌ１２による磁気が発生する。これらの磁気による磁束がコア部に巻き回された巻線Ｌ１３に鎖交することで、加算されベクトル合成された磁気に応じた電流が巻線Ｌ１３に流れる。
【００３５】
ハイブリッドトランスＴＲの巻線Ｌ１３からの電流は、過電流検出回路３４の抵抗Ｒ１へ流れ、交流の電流信号として流れる。この交流の電流信号が抵抗Ｒ１に流れることで交流の電圧信号に変換される。抵抗Ｒ１による電圧信号は交流・直流変換器３４ａにより直流の電圧信号へ変換される。そして、比較器３４ｂでは、電圧信号と閾値電圧（Ｖｒｅｆ）とを比較する。閾値電圧は、引込配電線２１０の潮流方向が順方向潮流となるときの電圧値、または逆方向潮流となるときの電圧値に合わせて設定される。従って、比較器３４ｂにて判定された結果が、信号合成回路３３からの信号が閾値電圧よりも高い場合には、負荷電流が過電流であり、かつ順方向潮流であることが判定されることで比較器３４ｂから信号が出力される。また、信号合成回路３３からの信号が閾値電圧よりも低い場合には、負荷電流が正常であることが判定できると共に、負荷電流が過電流であっても逆方向潮流であることが判定できることで、比較器３４ｂから信号は出力されない。
【００３６】
このように、電圧検出部３１を抵抗Ｒ０とし、電流検出部３２を変流器（ＣＴ）とし、信号合成回路３３をハイブリッドトランスＴＲとすることで、簡単な回路構成で実現することができるので、負荷開閉器１００内に収納することができる。また、制御装置３００内に、位相差演算手段や潮流方向判定手段などを設ける必要がないので、高い信頼性を図ることができる。
【００３７】
また、信号検出部３０は、例えば、図６に示すような構成とすることもできる。
図６に示すように、電流検出部３２および信号合成回路３３は、２巻線のハイブリッドＯＣＲとすることができる。また、過電流検出回路３４は、ＡＣリレーＲＹとすることができる。
ハイブリッドＯＣＲは、図７に示すように、引込配電線２１０の１線を矩形穴に挿通させたコア部３４ｃに、巻線Ｌ２１，Ｌ２２が設けたものとすることができる。ＡＣリレーＲＹは、ａ接点の２極単投式のものが使用できる。
巻線Ｌ２２は、合成出力用巻線であり、ＡＣリレーＲＹの励磁コイルに接続されている。ＡＣリレーＲＹの励磁コイルの一側と接点の一側との間に電圧調整用の抵抗Ｒ２が接続されている。
【００３８】
このように構成された信号検出部３０では、相電圧に応じた電流が抵抗Ｒ０を介して巻線Ｌ２１に流れ、巻線Ｌ２１が磁気を発生することで、磁束がコア部３４ｃを通る。また、引込配電線２１０に流れる負荷電流に応じた磁界が、引込配電線２１０の周囲に右ねじの法則に従って発生して、コア部３４ｃ内を通るので、コア部３４ｃ内には、相電圧に応じた磁束と負荷電流に応じた磁束が加算される。従って、コア部３４ｃで相電圧と負荷電流とをベクトル合成することができる。
そして、コア部３４ｃ内で加算された磁束に応じた電流が巻線Ｌ２２に流れるので、この電流によりＡＣリレーＲＹを駆動することで、電流量に応じてＡＣリレーＲＹの接点を投入したり、開放したりすることができる。
【００３９】
つまり、信号合成回路３３からの信号がＡＣリレーＲＹを投入状態とすることができる電流である場合には、負荷電流が過電流であり、かつ順方向潮流であるため、ＡＣリレーＲＹから制御装置３００へ接点が導通した状態を示す過電流検出信号を出力することができる。また、信号合成回路３３からの信号がＡＣリレーＲＹを開放状態のままとする電流である場合には、負荷電流が正常であるか、または負荷電流が過電流であっても逆方向潮流であることを示しており、ＡＣリレーＲＹは投入されず制御装置３００へは過電流検出信号が出力されない。
【００４０】
このように、電圧検出部３１を抵抗Ｒ０とし、電流検出部３２および信号合成回路３３は、２巻線のハイブリッドＯＣＲとすることで、簡単な回路構成で実現することができるので、負荷開閉器１００内に収納することができる。また、制御装置３００内に、位相差演算手段や潮流方向判定手段などを設ける必要がないので、高い信頼性を図ることができる。
【００４１】
図２、図４、図６においては、相電圧の検出に電圧検出部３１である抵抗Ｒ０を、引込配電線２１０に直接接続していた。しかし、図８に示す負荷開閉器１０１では、制御装置３００の電源部３０６のために、Ｖ結線で接続された２台の計器用変圧器（ＶＴ)６０が、負荷開閉器１０１内に設けられているので、この計器用変圧器６０から抵抗Ｒ０へ基準となる相電圧を供給することができる。なお、図８においては図２と同じ構成のものは同符号を付している。
このように、計器用変圧器６０から電圧検出部３１へ電圧を供給することで、低電圧で制御することができるので、引込配電線２１０から直接接続した場合と比較して、低抵抗なものが使用できる。従って、電圧検出部３１（抵抗Ｒ０）を小型化、低廉化することができる。
【産業上の利用可能性】
【００４２】
本発明は、引込配電線に配設される負荷開閉器に好適である。
【符号の説明】
【００４３】
１００，１０１  負荷開閉器（区分開閉器）
１０  零相変流器
２０  零相電圧検出装置
３０  信号検出部
３１  電圧検出部
３２  電流検出部
３３  信号合成回路
３４  過電流検出回路
３４ａ  交流・直流変換器
３４ｂ  比較器
３４ｃ  コア部
４０  開閉部
４１Ｒ、４１Ｓ、４１Ｔ  可動接点
４２Ｒ、４２Ｓ、４２Ｔ  固定接点
５０  引き外し部
６０  計器用変圧器
７０  グランド（大地接地）
２０１引込分岐点
２００  高圧架空配電線
２０２  責任分界点
２０４  ＰＣＴ
２０５  主遮断装置
２０６  自家発電装置
２０７  負荷
２１０，２１０Ｒ，２１０Ｓ，２１０Ｔ  引込配電線
３００  制御装置
３０１  地絡検出部
３０２  地絡判定部
３０３  過電流検出信号受信部
３０４  過電流蓄勢制御部
３０５  開閉器制御部
３０６  電源部
Ｌ１１，Ｌ１２，Ｌ１３，Ｌ２１，Ｌ２２  巻線
Ｒ０，Ｒ１，Ｒ２  抵抗
ＴＲ  ハイブリッドトランス
ＲＹ  ＡＣリレー
Ｑ１  トランジスタ
【図１】
0005733115.tif 000002
【図２】
0005733115.tif 000003
【図４】
0005733115.tif 000004
【図５】
0005733115.tif 000005
【図６】
0005733115.tif 000006
【図７】
0005733115.tif 000007
【図８】
0005733115.tif 000008
【図９】
0005733115.tif 000009
【図３】
0005733115.tif 000010